(57)【特許請求の範囲】
【請求項１】
ＵＩＭ（User Identity Module）カードを装填可能な携帯電話機において、
前記ＵＩＭカードの脱着の有無を電気的に検出し、その履歴を保存する検出手段と、
電源がオンにされた後、前記検出手段の保存内容を読み出し、前記履歴が有ったときにのみ電話帳等のユーザデータを含む情報を前記ＵＩＭカードから読み出す制御手段を備えることを特徴とする携帯電話機。
【請求項２】
前記検出手段は、バックアップ電源に接続され、前記ＵＩＭカードの挿入時及び抜き取り時に出力状態が変化するスイッチと、
前記スイッチの出力状態を記憶するレジスタ部とを備えることを特徴とする請求項１記載の携帯電話機。
【請求項３】
前記スイッチは、前記ＵＩＭカードが着脱されるＵＩＭカードソケットの前記ＵＩＭカードの挿入及び抜き取りの操作に連動して動作する位置に設けられていることを特徴とする請求項２記載の携帯電話機。
【発明の詳細な説明】
【０００１】
【発明の属する技術分野】
本発明は、携帯電話機に関し、特に、ＵＩＭカード（User Identity Modulecard）を装填可能な携帯電話機にあって、ＵＩＭカードに対するユーザデータの読み出し／書き込みの回数を低減できるようにした携帯電話機に関する。
【０００２】
【従来の技術】
Ｗ−ＣＤＭＡ（Wideband-Code Devision Multiple Access：広帯域符号多重分割接続）方式を採用する第３世代携帯電話機においては、ユーザＩＤ（user IDentification number）はＵＩＭカードと呼ばれる切手サイズのＩＣカードに内蔵される。ＵＩＭカードは、認証処理等を行うプロセッサの他に記憶手段としてフラッシュメモリ（flash memory）を搭載することにより、ユーザデータを格納することが可能になる。また、ＵＩＭカードは携帯電話機本体から取り外しが可能であるため、他の携帯電話機に入れ替えて使用することができる。したがって、同一のユーザが複数の携帯電話機を使用することが可能になり、同一の携帯電話機を複数のユーザが使い回すことも可能になる。例えば、従来、携帯電話機を買い替える度に必須であった住所録などのデータは、従来機では携帯電話機本体の内蔵メモリに書き込まれてしまい、ユーザが自力で他機種に移すことは、携帯用電話帳ソフトをインストールしたパソコンを用いない限り、携帯電話機間の移植は困難であった。しかし、第３世代携帯電話機では、住所録をＵＩＭカードに記憶することが可能であり、機種交換の際に、改めて入力操作を行う必要が無いという利点がある。
【０００３】
ＵＩＭカードを利用できる携帯電話機は、ＵＩＭカードの入れ換え等により、ＵＩＭカードが本体に挿入された後、電源オン時にＵＩＭカード内のユーザデータが携帯電話機側の内部ＲＡＭに展開（格納）される。そして、ユーザによる電話帳の参照等の際に、ＲＡＭ領域に展開されたデータの読み出しが行われる。
【０００４】
一般に、ＵＩＭカードの装着スペースは電池パック部分に設定されており、ＵＩＭカードの脱着は電池パックを外さなければ行えない構造に作られている。このため、ＵＩＭカードの入れ換えの有無の判定は、電池パックが外れたか否かで行うことが多い。
【０００５】
【発明が解決しようとする課題】
しかし、従来の携帯電話機によると、電池パックが外されたことをＵＩＭカードの脱着の有無の検出に代用しているため、電池パックを外されたとき、実際にＵＩＭカードが取り外されたか否かにかかわらず、次回に携帯電話機の電源をオンにしたとき、必ずＵＩＭカードからユーザデータの読み出し及び内部ＲＡＭへの展開が行われる。ＵＩＭカードからのユーザデータの読み出しは、保存できる容量にもよるが、数十秒程度の時間を要することが多いため、ユーザは待ち時間が多い機種だと感じることになる。このように、ＵＩＭカードが交換されない限り電源オンの度にＵＩＭカードから内部ＲＡＭへ展開を行う必要は無く、電源オン時にＵＩＭカードの脱着が無いと判断できる場合には、ＵＩＭカードからユーザデータの読み出し及び内部ＲＡＭへの展開は行う必要がないし、ＵＩＭカードからの読み出し回数は可能な限り少ない方が望ましい。
【０００６】
したがって、本発明の目的は、電源オン時のＵＩＭカードからのユーザデータの読み出し及び内蔵メモリへの展開の回数を最小限にすることのできる携帯電話機を提供することにある。
【０００７】
【課題を解決するための手段】
本発明は、上記の目的を達成するため、ＵＩＭカードを装填可能な携帯電話機において、前記ＵＩＭカードの脱着の有無を電気的に検出し、その履歴を保存する検出手段と、電源がオンにされた後、前記検出手段の保存内容を読み出し、前記履歴が有ったときにのみ電話帳等のユーザデータを含む情報を前記ＵＩＭカードから読み出す制御手段を備えることを特徴とする携帯電話機を提供する。
【０００８】
この構成によれば、本体の電源オン／オフの状態にかかわらず、ＵＩＭカードに脱着操作があった場合、その脱着が検出手段に履歴として保存される。この保存内容を電源オン時に読み出すことにより、ＵＩＭカードの交換、再挿入等の有無を判定でき、ＵＩＭカードの交換、再挿入等が判定されたときにはＵＩＭカードの内容に変更が有ることが考えられることから、ＵＩＭカードから電話帳等のユーザデータを含む情報の読み出しが行われる。一方、ＵＩＭカードの交換や再挿入等が判定されない場合は、他のＵＩＭカードに変更されたことも、再装填されたことも無いことになるので、ユーザデータを含まない情報のみの読み出しが行われる。このような処理により、読み出しに長時間を要する電話帳等のユーザデータは、必要最小限の回数に抑えられる。
【０００９】
【発明の実施の形態】
以下、本発明の実施の形態を図面に基づいて説明する。
図１は、本発明による携帯電話機の構成を示す。携帯電話機１は、無線データを変復調及び送受信を行う無線送受信部２、アンテナ３、全体の制御及びＵＩＭカード８等とを接続を行う制御部４、ＵＩＭカード８の脱着の有無を検出するＵＩＭカード脱着履歴検出回路５、ＵＩＭカード８が装着されるＵＩＭカードソケット６、及び電池パック７（携帯電話機のデザインに合わせて専用の樹脂ケースに二次電池を一体化させたもの）を備えて構成されている。
【００１０】
制御部４は、ＣＰＵ（ Central Processing Unit）４１、プログラムが格納されたＲＯＭ（Read Only Memory）４２、ＵＩＭカード８の脱着履歴や各種のデータを記憶するＲＡＭ（Random Access Memory）４３、ＵＩＭカード８およびＵＩＭカード脱着履歴検出回路５とのインターフェースをとる周辺回路４４を備えて構成されている。ＲＡＭ４３の一部はバックアップ電池（図示せず）を用いてバックアップ（backup）されているため、電池パック７が取り外されている場合でもＲＡＭ４３にデータを一定期間保持することができる。ＣＰＵ４１とＵＩＭカード８との間では、周辺回路４４及びＵＩＭカードソケット６の端子部を介してデータの送受信が行われる。
【００１１】
図２は、ＵＩＭカードソケット６の詳細構成を示す。このＵＩＭカードソケット６はプッシュ・ロック／アンロック式であり、一方にＵＩＭカード８を挿入するための挿入口６１が形成されている。ＵＩＭカードソケット６の内部には、Ｌ字形の係止部材６２がスライド可能にして、かつ所定位置でロックされるように配設されている。係止部材６２とＵＩＭカード８との対向面のそれぞれには、電気的に接触する端子部が設けられており、ＵＩＭカード８が完全に挿入されたとき、ＵＩＭカード８の端子が係止部材６２の端子に嵌合し、両者が電気的に接続されることにより、データの読み出し／書き込みが可能になる。
【００１２】
係止部材６２のコーナ部には、スプリング６３の一端が係着されており、スプリング６３の他端はＵＩＭカードソケット６内の奥部に係着されている。ＵＩＭカード８が挿入口６１からＵＩＭカードソケット６に挿入されると、ＵＩＭカード８の先端部が係止部材６２に当接し、そのままＵＩＭカード８を押し込むと、ＵＩＭカード８と共に係止部材６２は矢印方向Ａに移動する。その過程でＵＩＭカード８は所定位置でロックされる。同時に、ＵＩＭカード８の端子は係止部材６２の端子に接触して電気的に接続される。ＵＩＭカード８を取り外したい場合、ロック状態にあるＵＩＭカード８を再度プッシュするとロックが解除され、スプリング６３の附勢力によってＵＩＭカード８は挿入口６１の方向へ押し出される。このとき、ＵＩＭカード８の電気的接点は係止部材６２の端子から離れ、非接触状態になる。
【００１３】
図３は、ＵＩＭカード脱着履歴検出回路５の周辺構成を示す。ＵＩＭカード脱着履歴検出回路５はレジスタ（register）部５１を内蔵しており、このレジスタ部５１は、データ保持用の二次電池（バックアップ電源５２）を電源として使用するため、電池パック７の非装着時に動作状態及びレジスタ値の保持が可能である。レジスタ部５１は、周辺回路４４を介してＣＰＵ４１から情報の読み出しが可能である。
【００１４】
携帯電話機１の電源オンの際、レジスタ部５１からのレジスタ値の読み出しを行い、ＵＩＭカード８の脱着が検出されたとき、ＣＰＵ４１はＵＩＭカード８から電話帳等のユーザデータの読み出しを行う。ＵＩＭカード８から読み出されたユーザデータは、ＣＰＵ４１によって図１のＲＡＭ４３に保存される。次回の電源オン時に、ＣＰＵ４１はレジスタ部５１に記憶されているレジスタ値に基づいてＵＩＭカード８の脱着が無いと判定した場合、ユーザデータ部の読み出し及びＲＡＭ４３への展開は行わず、ＲＡＭ４３にバックアップされているデータを使用する。これにより、電池パック７の脱着の検出によりＵＩＭカード８の脱着を判定する従来構成に比べ、ＵＩＭカード８内のユーザデータの読み出し及びＲＡＭ４３に展開を行う回数を減少させることが可能になり、ユーザは電源オン時の待ち時間を無くし或いは低減することができる。
【００１５】
ＵＩＭカード８の脱着を検出するため、バックアップ電源５２に抵抗５３とスイッチ（ＳＷ）５４を直列にして接続し、抵抗５３とスイッチ５４の接続点の電圧をレジスタ部５１に取り込んでいる。レジスタ部５１のリセットは、ＣＰＵ４１からの入力信号（ＲＳＴ ＲＥＧ）により行われ、電源オン後にＵＩＭカード８内のユーザデータの読み出し及びＲＡＭ４３への展開を終了した後、又はバックアップ電源５２が十分に放電したときに、レジスタ部５１のリセットが行われる。
【００１６】
電源オン時にＵＩＭカード脱着履歴検出回路５によってＵＩＭカード８の脱着履歴が検出された場合、別のＵＩＭカードが挿入されているか、同一のＵＩＭカード８であっても他の携帯電話機で使用した際に内部のユーザデータが変更されている可能性がある。そこで、ＵＩＭカード８内のユーザデータを含む全てのデータを読み出し、ＲＡＭ４３に展開（書き込み）する必要がある。一方、ＵＩＭカード８の脱着履歴が検出されない場合、ＵＩＭカード８内のユーザデータはバックアップされた内容と相違が無いため、ＵＩＭカード８の読み出し及びＲＡＭ４３への展開は行わない。
【００１７】
図４は、図３に示したＵＩＭカード脱着履歴検出回路５の周辺構成の詳細を示す。図４においては、図３に示したと同一であるものには同一引用数字を用いている。ＵＩＭカード脱着履歴検出回路５は、ＵＭカードソケット６内に搭載され、或いは周辺回路４４に実装される。ＵＩＭカード脱着履歴検出回路５のレジスタ部５１は、バックアップ電源５２を電源として動作する。レジスタ部５１の出力端子Ｑ（バー）は電源Ｖｄｄに抵抗５５を介してプルアップ（pull up ）されており、出力端子Ｑ（バー）が周辺回路４４の入力端子に接続されている。レジスタ部５１のリセット端子ＲＳＴは周辺回路４４のリセット端子ＲＳＴＨに接続され、このラインにはＲＳＴ ＲＥＧ信号が発生する。さらに、リセット端子ＲＳＴＨと接地間には抵抗５６が接続されている。
【００１８】
ＵＩＭカードソケット６は、ＵＩＭカード８の挿入の際、スイッチ５４が閉じることにより、レジスタ部５１のＣＫ（クロック）端子に入力されるＤＥＴ ＵＩＭ信号は“Ｌ”レベルになり、レジスタ部５１の出力端子Ｑ（バー）の出力信号ＲＥＧ ＯＵＴが変化する。レジスタ部５１はオープンドレイン（open drain）で周辺回路４４に接続されているため、レジスタ部５１の出力信号ＲＥＧ ＯＵＴはＣＰＵ４１によって読み出される。
【００１９】
図５は、ＵＩＭカード脱着履歴検出処理を示す。図５を参照して本発明の携帯電話機の動作を説明する。なお、図５における「Ｓ」はステップを表している。まず、携帯電話機１の電源がオンにされると（Ｓ１０１）、ＣＰＵ４１によってＵＩＭカード脱着履歴検出回路５のレジスタ部５１のレジスタ値が読み出される（Ｓ１０２）。ＣＰＵ４１は、読み出されたレジスタ値に基づいてＵＩＭカードの脱着の有無を判定する（Ｓ１０３）。脱着履歴有りが判定された場合には、ＣＰＵ４１によってＵＩＭカード８内のユーザデータを含む情報が読み出される（Ｓ１０４）。また、脱着履歴無しが判定された場合、ＵＩＭカード８内のユーザデータを含まない他の情報がＵＩＭカード８からＣＰＵ４１によって読み出される（Ｓ１０５）。Ｓ１０４においてＵＩＭカード８からユーザデータを含む情報が読み出された後、レジスタ部５１がリセットされる（Ｓ１０６）。Ｓ１０６又はＳ１０５の処理が終了すると、処理は通常動作に移行する（Ｓ１０７）。
【００２０】
図６は、ＵＩＭカードの脱着があったときのＵＩＭカード脱着履歴検出回路５の動作を示す。ＵＩＭカード８がＵＩＭカードソケット６に挿入されると、Ｔ１のタイミングでスイッチ５４がオフになり、ＤＥＴ ＵＩＭ信号は“Ｈ”レベルから“Ｌ”レベルに変化する。スイッチ５４はバックアップ電源５２から電源供給を受けているため、携帯電話機１の電源がオフであっても、ＵＩＭカード８の脱着に応じてＤＥＴ ＵＩＭ信号が変化する。このＤＥＴ ＵＩＭ信号をトリガにして、Ｔ２のタイミングでレジスタ部５１のレジスタ値が“Ｌ”にセットされる。その後、Ｔ３の時点で携帯電話機１の電源オンにされると、ＣＰＵ４１は初期処理を終了後、Ｔ４の時点でＵＩＭカード脱着履歴検出回路５のレジスタ部５１のレジスタ値“Ｌ”を検出する。レジスタ値が“Ｌ”であることに基づいて、ＣＰＵ４１はユーザデータを含む情報をＵＩＭカード８から読み出すと共に、ＲＡＭ４３への展開を行い、その処理の完了時にレジスタ部５１をリセット（タイミングＴ５）した後、通常動作へ移行する。
【００２１】
以上説明したように、本発明の携帯電話機によれば、電源がオンにされると、ＵＩＭカードの脱着履歴がチェックされ、その脱着履歴の有無に応じて、読み出す情報に電話帳等のユーザデータを含ませるか否かを判定し、ＵＩＭカード８からの読み出し処理を実行するが、ＵＩＭカードからの電話帳等のユーザデータを含む情報（データ）の読み出しは脱着履歴が有ったときに限られる。したがって、ＵＩＭカード８が装着されたままであれば、電源のオン／オフを何度行ってもユーザデータの読み出しは行われないので、ユーザが電話帳を参照したり、電池交換のみの様な場合には、ＵＩＭカードへのアクセスが必要なくなるので、待ち時間を生じることがなく、ユーザの使い勝手を向上させることができる。
【００２２】
上記実施の形態においては、携帯電話機について説明したが、無線電話機能を備え、かつＵＩＭカードを装着可能な電子機器にも本発明を適用可能である。例えば、無線電話機能を備えると共にＵＩＭカードが装着可能なように構成されたＰＤＡ（Personal Digital Assistant）装置にも本発明を適用可能である。
【００２３】
【発明の効果】
以上より明らかなように、本発明の携帯電話機によれば、電源がオフ状態にあっても、検出手段によりＵＩＭカードの脱着の有無を電気的に検出し、その履歴を保存し、電源がオンにされた後、制御手段により検出手段の保存内容を読み出し、履歴が有ったときにのみＵＩＭカードから電話帳等のユーザデータを含む情報を読み出すようにしたので、ＵＩＭカードからの電話帳等のユーザデータの読み出しはＵＩＭカードの交換や再装填等に限られ、その他の時は電源オン時であってもユーザデータの読み出しは行われない。この結果、読み出しに長時間を要するユーザデータの読み出し回数が低減され、ユーザが待ち時間を感じる回数が低減され、使い勝手が向上する。
【図面の簡単な説明】
【図１】本発明による携帯電話機の構成を示すブロック図である。
【図２】図１のＵＩＭカードソケットの詳細構成を示す模式的斜視図である。
【図３】ＵＩＭカード脱着履歴検出回路の周辺構成を示す回路図である。
【図４】図３に示したＵＩＭカード脱着履歴検出回路の周辺構成の詳細を示す回路図である。
【図５】ＵＩＭカード脱着履歴検出処理を示すフローチャートである。
【図６】ＵＩＭカードの脱着があった場合のＵＩＭカード脱着履歴検出回路の動作を示すタイミングチャートである。
【符号の説明】
１  携帯電話機
２  無線送受信部
３  アンテナ
４  制御部
５  ＵＩＭカード脱着履歴検出回路
６  ＵＩＭカードソケット
７  電池パック
８  ＵＩＭカード
４１  ＣＰＵ
４２  ＲＯＭ
４３  ＲＡＭ
４４  周辺回路
５１  レジスタ部
５２  バックアップ電源
５３，５５，５６  抵抗
５４  スイッチ（ＳＷ）
６１  挿入口
６２  係止部材
６３  スプリング
【図１】
0003742029.tif 000002
【図２】
0003742029.tif 000003
【図３】
0003742029.tif 000004
【図４】
0003742029.tif 000005
【図５】
0003742029.tif 000006
【図６】
0003742029.tif 000007